(57)【要約】【課題】光源ユニットの移動を抑制した照明器具の提供をする。【解決手段】本発明における照明器具１は、器具本体１００に設けられたバネ部１３０と光源ユニット２００に設けられた連結部２５０が係合するものであり、バネ部１３０がバネ腕部１３１に光源ユニット２００側から器具本体１００側に向う方向である第一の方向へ弾性力を付与するバネ曲げ部１３２を有し、連結部２５０がバネ腕部１３１と係合する連結係合部２５３に第一の方向と反対方向へ向う弾性力を付与する連結曲げ部２５２を有しているものである。この構成により、バネ腕部１３１と連結係合部２５３は、バネ曲げ部１３２と連結曲げ部２５２により互いに反対方向へ押圧した状態で係合することでき、光源ユニット２００の移動を抑制することができる。【選択図】            図１２
2020113457.tif 000002
【特許請求の範囲】
【請求項１】
器具本体と、
前記器具本体に対向した状態で取り付けられる光源ユニットと、
前記器具本体と前記光源ユニットのどちらか一方に設けられ、第一の係合部、前記第一の係合部に前記器具本体と前記光源ユニットの他方側から前記一方側へ向う第一の方向へ弾性力を付与する第一の弾性部を有している第一の取付部と、
前記他方に設けられ、前記第一の係合部と係合する第二の係合部、前記第二の係合部に前記第一の方向と反対方向へ弾性力を付与する第二の弾性部を有する第二の取付部と、
を備えている照明器具。
【請求項２】
前記第一の取付部と前記第二の取付部は、前記第一の方向に対して垂直となる方向において、前記第一の係合部と前記第二の係合部が対向するように並設され、
前記第一の取付部は、前記第一の係合部が前記第一の弾性部を軸として前記一方側へ向って回転するように移動し、
前記第二の取付部は、前記第二の係合部が前記第二の弾性部を軸として回転するように移動する請求項1に記載の照明器具。
【請求項３】
前記第二の弾性部は、前記第二の係合部が前記第一の係合部に引っ張られ、前記第二の係合部に弾性力を付与する請求項１または請求項２のいずれか一項に記載の照明器具。
【請求項４】
前記第一の取付部と前記第二の取付部は、前記第一の弾性部と前記第二の弾性部が直列に接続されるように前記第一の係合部と前記第二の係合部が係合する請求項１から請求項３のいずれか一項に記載の照明器具。
【請求項５】
前記第二の取付部は、前記他方の一面に設けられ、
前記第二の弾性部は、前記一面に固定され、
前記係第二の係合部は、前記一面に対して離れるように前記第二の弾性部から傾斜して突設している請求項１から請求項４のいずれか一項に記載の照明器具。
【請求項６】
前記第二の取付部は、線状の弾性部材により形成され、
前記第二の係合部は、前記第二の弾性部から対になるよう突出した係合腕部と、前記係合腕部の前記第二の弾性部と反対側の端部に設けられた係合端部と、を有し、
前記係合端部は、対になる前記係合腕部のそれぞれの端部と接続している請求項１から請求項５のいずれか一項に記載の照明器具。
【請求項７】
前記第二の取付部は、対になる前記係合腕部のそれぞれと接続する係合補強部を有し、
前記係合補強部は、前記第二の弾性部側に設けられている請求項６に記載の照明器具。
【発明の詳細な説明】
【技術分野】
【０００１】
本発明は、光源ユニットが器具本体に取り付けられる照明器具に関するものである。
【背景技術】
【０００２】
従来から、天井に取り付けられる照明器具であって、器具本体に光源ユニットが着脱可能に取り付けられるものがある。
【０００３】
例えば、照明器具は、器具本体が係合部と、係合部に器具本体側へ向う弾性力を付与する弾性部材を備えており、光源ユニットが係合部と係合する金具を備えている。この係合部が金具と係合した状態で、弾性部材が係合部を器具本体側に引っ張ることで、光源ユニットは器具本体に固定されている。（例えば、特許文献１参照）
【先行技術文献】
【特許文献】
【０００４】
【特許文献１】特開２０１６−１８１５０１号公報
【発明の概要】
【発明が解決しようとする課題】
【０００５】
しかしながら、この照明器具は、係合部が金具に設けられた開口に挿し込まれるだけであり、金具は係合部に引っ掛かっているだけである。
その為、振動などの外的要因により金具が移動してしまい、光源ユニットが不用意に移動してしまうおそれがある。
【０００６】
そこで、本発明は、上記のような課題を解決する為になされたもので、光源ユニットの移動を抑制した照明器具を提供することを目的とする。
【課題を解決するための手段】
【０００７】
本発明の照明器具は、器具本体と、前記器具本体に取り付けられる光源ユニットと、前記器具本体と前記光源ユニットのどちらか一方に設けられ、第一の係合部、前記第一の係合部に前記器具本体と前記光源ユニットの他方側から前記一方側へ向う第一の方向へ弾性力を付与する第一の弾性部を有している第一の取付部と、前記他方に設けられ、前記第一の係合部と係合する第二の係合部、前記第二の係合部に前記第一の方向と反対方向へ弾性力を付与する第二弾性部を有する第二の取付部とを備えているものである。
【発明の効果】
【０００８】
本発明の照明器具は、光源ユニットの移動を抑制したものである。
【図面の簡単な説明】
【０００９】
【図１】実施の形態１の照明器具を示す斜視図である。
【図２】実施の形態１における照明器具のＡ-Ａ′断面図である。
【図３】実施の形態１における照明器具の分解斜視図である。
【図４】実施の形態１における器具本体の斜視図である。
【図５】実施の形態１におけるバネ部の詳細図である。
【図６】実施の形態１における光源ユニットの斜視図である。
【図７】実施の形態１における光源ユニットのＣ-Ｃ′断面図である。
【図８】実施の形態１における光源ユニットの分解斜視図である。
【図９】実施の形態１におけるフレームのＤ部詳細図である。
【図１０】実施の形態１における連結部の詳細図である。
【図１１】実施の形態１における光源ユニットの器具本体への取付工程図である。
【図１２】実施の形態１における照明器具のＥ部詳細図である。
【図１３】実施の形態２における光源ユニットの斜視図である。
【図１４】実施の形態２における連結部の斜視図である。
【図１５】実施の形態２における係合補強部の斜視図である。
【発明を実施するための形態】
【００１０】
実施の形態１．
本発明は、バネ部と連結部によって光源ユニットを器具本体に固定することで、光源ユニットが器具本体から移動するのを抑制するものである。
以下、本発明に係る実施の形態として、天井等の被取付面に取り付けられる照明器具について説明する。まずは照明器具の全体の構成を説明する。
図１は本実施の形態における照明器具の斜視図である。図２は図１に示すＡ-Ａ′断面図である。図３は図１に示す照明器具１の分解斜視図である。
【００１１】
以下の説明では、図１に示す矢印のように、照明器具の長手方向を長手方向Ｘ、短手方向を短手方向Ｙ、長手方向Ｘおよび短手方向Ｙに直交する方向を上下方向Ｚとする。また、照明器具１が取り付けられる天井などの被取付面に向う方向を上方向Ｚ１とし、上方向Ｚ１と反対側へ向う方向を下方向Ｚ２とする。
【００１２】
照明器具１は、器具本体１００と光源ユニット２００とを備える。器具本体１００は、例えば図示しない吊ボルトなどの取付具を用いて被取付面に取り付けられる。光源ユニット２００は、器具本体１００に対して着脱可能に取り付けられている。
【００１３】
図４から図５を参照して、器具本体１００の各部の構成を説明する。図４は図３に示す器具本体１００の斜視図である。図５は図４に示すバネ部１３０の詳細図であり、図５の（ａ）はバネ部１３０の斜視図であり、図５の（ｂ）はバネ部１３０の短手方向Ｙからみた側面図である。器具本体１００は、取付具を用いて被取付面に取り付けられ、下方向Ｚ２側から光源ユニット２００が取り付けられる。
器具本体１００は、収容凹部１１０と、端板部１２０と、バネ部１３０と、端子台１４０とを有している。
【００１４】
収容凹部１１０は、光源ユニット２００が光源ユニット２００の一部を収納する。
収容凹部１１０は、矩形板状に形成された底部１１１と、底部１１１の長辺の端部から下方向Ｚ２へ延びる一対の側部１１２とで構成され、底部１１１と対向する面が開口されている。収容凹部１１０は、この構成により、凹形状をなし、開口側から光源ユニット２００が挿入されて収容凹部１１０内部に光源ユニット２００の一部を収納する。
また、収容凹部１１０の底部１１１には、電源引込孔１１１ａと固定孔１１１ｂが形成されている。電源引込孔１１１ａは、器具本体１００外部から収容凹部１１０内に商用電源から電力供給をうける為の図示しない電源線を引き込む。固定孔１１１ｂは、器具本体１００を被取付面に固定する為の取付具が挿通される。
また、収容凹部１１０は、開口の長手側辺から上方向Ｚ１に向うに従って短手方向Ｙにおいて広がるように傾斜して形成される傾斜部１１３が設けられている。
【００１５】
端板部１２０は、長手方向Ｘにおいて収容凹部１１０の端部を塞ぐものであり、収容凹部１１０の両端に配設されている。端板部１２０は、端板本体部１２１と、端板鍔部１２２とを備えている。
端板本体部１２１は、板状に形成されており、収容凹部１１０の長手方向Xの端部側を塞ぐように設けられている。
端板鍔部１２２は、端板本体部１２１の下方向Ｚ２側の側辺から端板本体部１２１に対して垂直方向へ突出するように設けられている。側板鍔部１２２は、収容凹部１１０の開口の一部を覆うように設けられており、底部１１１と対向する。
【００１６】
バネ部１３０は、光源ユニット２００を器具本体１００に固定するものである。バネ部１３０は、収容凹部１１０の底部１１１に、長手方向Ｘに沿って対になるように２つ配設されている。
バネ部１３０は、板材の弾性材料を曲げて形成されており、バネ腕部１３１と、バネ曲げ部１３２と、バネ固定部１３３とを有している。対に設けられたバネ部１３０は、長手方向Ｘにおいて、バネ係合部１３１が互いに反対側を向き、バネ固定部１３２が互いに向き合うように配設されている。
バネ部１３０は、器具本体１００に光源ユニット２００を取り付けするための第一の取付部であり、バネ腕部１３１は第一の係合部であり、バネ曲げ部１３２は第一の弾性部である。
なお、バネ部１３０を形成する弾性材料は、例えば、ステンレス材料や、バネ鋼材などである。
【００１７】
バネ部１３０は、バネ腕部１３１がバネ曲げ部１３２を軸として回転するように移動する。バネ部１３０は、バネ曲げ部１３２が弾性変形の軸となり、バネ腕部１３１が底部１１１と対向した状態から、底部１１１に対して垂直状態になるように弾性変形する。バネ部１３０は、バネ腕部１３１が底部１１１に対して垂直な状態から底部１１１と対向した状態に、バネ腕部１３１がバネ曲げ部１３２を軸として回転するように復元する。バネ曲げ部１３２は、バネ腕部１３１が底部１１１に対して垂直になるように弾性変形した状態から、底部１１１と対向した状態になるようにバネ腕部１３１に弾性力を付与する。
【００１８】
バネ腕部１３１は、光源ユニット２００と係合するものであり、円弧部１３１ａと爪部１３１ｂを有している。円弧部１３１ａは、長尺の板材を円弧状の曲げたものであり、底部１１１と対向している状態において下方向Ｚ２に突出する円弧形状である。爪部１３１ｂは、円弧部１３１ａの一端側の端部に設けられており、円弧部１３１ａの一端側から他端側に向って突出するように設けられている。
【００１９】
バネ曲げ部１３２は、バネ部１３０の弾性変形の軸となり、バネ腕部１３１に対して底部１１０ａに向う弾性力を付与するものである。バネ腕部１３１は、バネ曲げ部１３２を軸として回転するように移動する。
バネ曲げ部１３２は、円弧部１３１ａの爪部１３１ｂと反対側の端部に設けられており、第一曲げ部１３２ａと、第二曲げ部１３２ｂと、第三曲げ部１３２ｃとを有している。第一曲げ部１３２ａは、円弧部１３１ａの端部より上方向Ｚ１に突設して設けられている。第二曲げ部１３２ｂは、第一曲げ部１３２ａの上方向Ｚ１側の端部より、下方向Ｚ２に向ってバネ腕部１３１から離れるよう斜めに突設している。第三曲げ部１３２ｃは、第二曲げ部１３２ｂの下方向Ｚ２側の端部から上方向Ｚ１に突設している。第三曲げ部１３２ｃは、バネ部１３０が光源ユニット２００を取り付けするときに弾性変形の軸部となり、バネ腕部１３１が第三曲げ部１３２ｃを軸として回転するように移動する。
【００２０】
バネ固定部１３３は、バネ１３０を収容凹部１１０に取り付けるものであり、底部１１１に固定されている。
バネ固定部１３３は、バネ曲げ部１３２がバネ腕部１３１に対して底部１１０ａに向う弾性力を付与できるように底部１１１に固定されている。
バネ固定部１３３は、第三曲げ部１３２ｃの上方向Ｚ１側の端部から、長手方向Ｘでおいてバネ腕部１３１と反対側に突設している。バネ固定部１３３は、固定孔１３３ａが形成されており、ネジやリベットなどの固定具を固定孔１３３ａに挿通して底部１１１に固定されている。
【００２１】
端子台１４０は、照明器具１の外部の商用電源から供給される電力を光源ユニット２００に供給する。端子台１４０は、収容凹部１１０の底部１１１に取り付けられ、端子台本体部１４１と、端子台接続部１４２とを備えている。
端子台本体部１４１は、矩形状に形成されており、電源引込孔１１１ａを介して収容凹部１１０内部に引き込まれる図示しない電源電線が接続される。端子台本体部１４１は、電源電線が接続されることで、商用電源から電力を供給される。
端子台接続部１４２は、光源ユニット２００と電気的に接続し、商用電源から供給される電力を光源ユニット２００に供給する。端子台接続部１４２は、端子台電線１４２ａと、端子台電線１４２ａの先端に設けられた常用コネクタ１４２ｂを備えている。
【００２２】
以上が器具本体１００の構成であり、次に、図６から図１０を参照して、器具本体１００に取り付けられる光源ユニット２００の構成を説明する。
図６は図３に示す光源ユニット２００の斜視図であり、図６の（ａ）は図３に示す光源ユニット２００の斜め上からみた斜視図であり、図６の（ｂ）は図６の（ａ）に示す光源ユニット２００のＢ部拡大図である。図７は図６に示す光源ユニットのＣ−Ｃ′断面図である。図８は図７に示す光源ユニット２００の分解斜視図である。図９は図８に示すフレーム２２０のＤ部拡大図である。図１０は図８に示すに示す連結部２６０の詳細図であり、図１０の（ａ）は連結部２５０の斜視図であり、図１０の（ｂ）は連結部２５０の短手方向Ｙからみた側面図である。
光源ユニット２００は、収容凹部１１０の開口を塞ぐように器具本体１００に取り付けられている。光源ユニット２００は、発光部２１０と、フレーム２２０と、カバー２３０と、蓋２４０と、連結部２５０と、電源装置２６０とを備えている。
【００２３】
発光部２１０は、複数の発光素子２１１と、複数の発光素子２１１が実装される基板２１２を有している。基板２１２は長尺に形成されており、発光素子２１１が基板  ２１２の長手方向へ直線状に配設されている。発光部２１０の長手方向Ｘにおける一端部には、電源装置２６０との間を電気的に接続するための電線２１３が接続されている。
ここで、発光素子２１１は、表面実装タイプのＬＥＤ素子であるが、ＣＯＢ型発光モジュールでも良く、有機ＥＬ素子、レーザーダイオード素子でも良い。また、発光素子２１１を直線状に実装する列は一列でも良く、複数列でも良い。
【００２４】
フレーム２２０は、発光部２１０を保持するものであり、フレーム取付部２２１と、フレーム側部２２２を有している。フレーム取付部２２１は、長手方向Ｘに沿って長尺且つ矩形板状に形成されている。フレーム側部２２２はフレーム取付部２２１の長手側辺それぞれから上方向Ｚ１に対になるように突出して設けられている。
【００２５】
フレーム取付部２２１は板状に形成されており、一方の面は発光部２１０が取り付けられる発光部取付面２２１ａであり、発光部取付面２２１ａの反対の面である他方の面は連結部２５０、電源装置２６０などの部品が配設される部品取付面２２１ｂとなる。
部品取付面２２１ｂは、固定部２２３が長手方向Xに沿って対に設けられている。固定部２２３は、器具本体１００に配設されたバネ部１３０に対応した位置に設けられている。
【００２６】
固定部２２３は、連結部２５０を部品取付面２２１ｂに固定するものであり、連結部２５０が嵌め込まれる。固定部２２３は、第一固定部２２３ａと、第二固定部２２３ｂとを有している。
第一固定部２２３ａは、連結部２５０を短手方向Yおよび長手方向Ｘへの移動を抑制するように保持し、部品取付面２２１ｂより突出して形成されている。第一固定部２２３は、Ｕ字形状が短手方向Ｙに沿って連続的に形成されており、短手方向Ｙの両端が開口している。
第二固定部２２３ｂは、連結部２５０を上方向Ｚ１への移動を抑制するように保持し、立上り部２２３ｂａと水平部２２３ｂｂを有している。第二固定部２２３ｂは、
短手方向Yにおいて対になるように形成されている。立上り部２２３ｂａは、部品取付面２２１ｂより上方向Ｚ１側へ突出して形成されている。水平部２２３ｂｂは、立上り部２２３ｂａの上方向Ｚ１側の端部より部品取付面２２１ｂと対向するように突出して形成されている。
【００２７】
カバー２３０は、発光部２１０からの光を透過するものであり、発光体２１０を覆うようにフレーム２２０に取り付けられる。カバー２３０は乳白色のアクリル樹脂など拡散性を有する樹脂材料により形成され、発光体２１０から照射される光を拡散する。
カバー２３０は、主カバー部２３１と、カバー係合部２３２とを有しており、主カバー部２３１、カバー係合部２３２が長手方向Ｘへ連続するように形成されている。
主カバー部２３１は、発光部２１０を覆うように取り付けられている。カバー係合部２３２は、短手方向Ｙにおける主カバー部２３１のそれぞれ端部よりフレーム側部２２２を覆うように対に設けられている。
カバー２３０は、カバー係合部２３２がフレーム側部２２２を狭持することで、フレーム２２０に取り付けられる。
【００２８】
蓋部２４０は、フレーム２２０とカバー２３０により形成された空間を長手方向Ｘにおいて塞ぐものであり、光源ユニット２００の長手方向Ｘにおける両端それぞれに配設されている。蓋部２４０は、蓋本体部２４１と、蓋側部２４２を有しており、乳白色のアクリル樹脂など拡散性を有する樹脂材料により形成されている。
蓋本体部２４１は、長手方向Ｘにおいて、フレーム２２０のフレーム取付部２２１とカバー２３０の主カバー部２３１で囲まれた空間の端面と対向するように形成されている。蓋側部２４２は、長手方向Ｘにおいて、蓋本体部２４１とフレーム２２０及びカバー２３０の端部との間に設けられている。蓋側部２４２は、フレーム取付部２２１と主カバー２３１と同じ形状になるように形成されている。
蓋部２４０は、光源ユニット２００が器具本体１００に取り付けられたときに、蓋側部２４２の上方向Ｚ１側が端板部１２０の端板鍔部１２２と当接する。
【００２９】
連結部２５０は、バネ部１３０と係合して光源ユニット２００を器具本体１００に固定するものであり、フレーム２２０の固定部２２３に嵌め込まれ、器具本体１００に設けられたバネ部１３０と対応する位置に配設されている。連結部２５０は光源ユニット２００の一面である部品取付面２２１ｂに対になるよう２つ配設されている。
連結部２５０は、１本の線材の弾性材料を曲げて形成されたものであり、連結固定部２５１と、連結曲げ部２５２と、連結係合部２５３とを有している。連結部２５０は、連結固定部２５１が固定部２２３に嵌め込まれ、連結曲げ部２５２が連結係合部２５３に部品取付面２２１ｂへ向かう弾性力を付与し、連結係合部２５３がバネ部１３０と連結するものである。対に設けられた連結部２５０は、長手方向Ｘにおいて、連結曲げ部２５２が互いに反対側を向き、連結係合部２５３が互いに向き合うように配設されている。
連結部２５０は、器具本体１００に光源ユニット２００を取り付けするための第二の取付部であり、連結係合部２５３は第二の係合部であり、連結曲げ部２５２は第二の弾性部である。
なお、連結部２５０を形成する弾性材料は、例えば、ステンレス材料や、バネ鋼材などである。
【００３０】
連結部２５０は、連結係合部２５３がバネ腕部１３１と係合して上方向Ｚ１へ引き上げられ、連結係合部２５３が連結曲げ部２５２を軸として回転するように引き上げられる。連結係合部２５３が上方向Ｚ１へ引きあげられると、連結曲げ部２５２は連結係合部２５３を係合する前の状態の復元しようと、連結係合部２５３に下方向Ｚ２へ向う弾性力を付与する。
【００３１】
連結固定部２５１は、固定部２２３に嵌め込まれ連結部２５０をフレーム取付部２２１に固定するものであり、固定端部２５１ａと、連結脚部２５１ｂを有している。
固定端部２５１ａは、線材の端部同士であり間隔を設けて形成している。連結脚部２５１ｂは、それぞれの固定端部２５１ａの外側の端部から略垂直方向に延設して形成されている。
連結部２５０は、連結固定部２２３により光源ユニット２００の一面である部品取付面２２１ｂに連結曲げ部２５２、連結係合部２５３を固定することができる。
連結曲げ部２５２は、連結固定部２５１が部品取付面２２１ｂに固定されることで、部品取付面２２１ｂに固定され連結係合部２５３に弾性力を付与することができる。
【００３２】
連結曲げ部２５２は、連結係合部２５２に部品取付面２２１ａへ向かう弾性力を付与するものであり、連結部２５０がバネ部１３０と係合するときに弾性作用の軸部となる。連結曲げ部２５２は、連結固定部２５２と連結係合部２５３の間に設けられる角度Ｋが一定の角度になるように連結係合部２５２に弾性力を付与する。つまり、連結曲げ部２５２は、連結部２５０が部品取付面２２１ｂに固定された状態において、部品取付面２２１ｂと連結係合部２５３の間が一定になるように連結係合部２５２に弾性力を付与する。
連結曲げ部２５２は、連結脚部２５１ｂのそれぞれの端部から固定端部２５１ａ側へ折り返すように上方向Ｚ１へねじったものであり、円弧状に形成されている。
連結曲げ部２５２は、連結固定部２５２と連結係合部２５３の間に設けられる角度が鋭角になるように形成されている。
【００３３】
連結係合部２５３は、バネ部１３０と係合するものであり、連結曲げ部２５２により部品取付面２２１ｂへ向かう弾性力が付与される。連結係合部２５３は、係合腕部２５３ａと、腕接続部２５３ｂとを有している。
係合腕部２５３ａは、連結曲げ部２５２のそれぞれ端部から連結脚部２５１ｂと対向するように斜め方向に突出して設けられており、固定端部側２５１ａ側へ向う従って連結脚部２５１ｂと離れるように突出している。係合端部２５３ｂは、係合腕部２５３ａの連結曲げ部２５２と反対側の端部に設けられており、対に設けられた係合腕部２５３ａのそれぞれの端部と接続する。係合端部２５３ｂは、係合腕部２５３ａに対して垂直に曲げられたものであり、対に設けられた係合腕部２５３ａの端部同士を繋げている。
連結係合部２５３は、連結部２５０が部品取付面２２１ｂに固定された状態において、連結曲げ部２５２から部品取付面２２１ｂと離れるように斜め方向へ突出している。連結部２５０は、連結係合部２５３が連結曲げ部２５２から部品取付面２２１ｂと離れるように斜め方向へ突出することで、係合端部２５３ｂが係合腕部２５３ａに支持されて回転するように移動することができる。
なお、連結係合部２５３は、図１０の（ａ）において点線で示すように、対に設けられた係合腕部２５３ａと係合端部２５３ｂにより、バネ部１３０が挿し込まれる連結用開口２５４を形成する。連結部２５０は、連結用開口２５４にバネ腕部１３１が挿し込まれ、バネ腕部１３１と連結係合部２５３は係合する。
【００３４】
電源装置２６０は、商用電源からの電力が端子台１３０から供給され、発光部２１０を点灯制御するものである。電源装置２６０は、フレーム２２０の部品取付面２２１ｂの長手方向Ｘにおける略中央に取り付けられており、電源本体部２６１と、電源接続部２６２を備えている。
電源本体部２６１は、長尺状の箱形状をしており、内部に図示しない電源回路が内蔵されている。
電源接続部２６２は、端子台接続部１４２と接続するものであり、電源電線２６２ａと、電源電線２６２ａの先端に設けられ電源コネクタ２６２ｂを備えている。電源コネクタ２６２ｂは、端子台コネクタ１４２ｂと着脱可能に接続する。
【００３５】
以上が照明器具１の全体構成である。次に、図１１を参照して光源ユニット２００の器具本体１００への取り付け方法の概要を説明する。図１１において、
（ａ）は、器具本体１００に光源ユニット２００が取り付けられる前の状態を示す。
（ｂ）は、作業者が光源ユニット２００の連結部２５０の連結用開口２５４にバネ部１３０の爪部１３１ｂに引っ掛けた状態を示す。
（ｃ）は、バネ円弧部１２２が連結部２５０の連結用開口２５４に対して摺動する状態を示す。
（ｄ）は、器具本体１００に光源ユニット２００が取り付けられた状態を示す。
なお、図１１は、長手方向Ｘにおける一方側のバネ部１３０と連結部２５０による器具本体１００に光源ユニット２００を取り付けする方法を図示したものであり、図示しない他方側のバネ部１３０と連結部２５０も同様の方法で取り付けすることができる。
【００３６】
はじめに、図１１の（ａ）において、光源ユニット２００は器具本体１００に取り付けられてない状態であり、バネ部１３０の爪部１３１ｂは器具本体１００の底部１１１に当接している。器具本体１００と光源ユニット２００は対向している。器具本体１００の底部１１１は、光源ユニット２００のフレーム取付部２２１と対向している。
なお、器具本体１００は、器具本体１００と光源ユニット２００のどちらかのうち、第一の取付部であるバネ部１３０が設けられた一方になる。光源ユニット２００は、器具本体１００と光源ユニット２００のうち、バネ部１３０が設けられてない他方になる。
【００３７】
次に、図１１の（ｂ）において、作業者がバネ部１３０のバネ腕部１３１を底部１１１に対して垂直状態になるように弾性変形させ、バネ腕部１３１を連結用開口２５４に挿し込み、爪部１３１ｂを連結部２５０の係合端部２５３ｂに引っ掛ける。光源ユニット２００は、爪部１３１ｂが係合端部２５３ｂに引っ掛けられることで、器具本体１００に間を設けて吊り下げられた状態になる。
このとき、連結部２５０の連結曲げ部２５２は、下方向Ｚ２に向って付加される光源ユニット２００の重量に対して、連結係合部２５３に対して光源ニット２００を上方向Ｚ１側に引き上げるように弾性力を付与する。
また、長手方向Ｘにおいて、バネ部１３０はバネ曲げ部１２２がバネ腕部１２１を端板本体部１２１側へと向かわせるように弾性力を付与し、連結部２５０は連結曲げ部２５２が連結係合部２５３を端板本体部１２１と反対方向へ向うように弾性力を付与し、バネ部１３０と連結部２５０は互いに押圧する。よって、光源ユニット２００は、器具本体１００と間を設けて吊り下げられた状態を維持することができ、吊り下げられた状態において端子台コネクタ１４２ｂと電源コネクタ２６２ｂを接続することができる。
【００３８】
次に、図１１の（ｃ）において、作業者は、光源ユニット２００を上方向Ｚ１である器具本体１００側に押し上げる。このとき、連結部２５０がバネ部１３０を押圧している状態が解除され、バネ部１３０のバネ腕部１３１は底部１１１に向うように弾性変形された状態から復元されていく。
バネ曲げ部１３２は、バネ腕部１３１に光源ユニット２００側からバネ部１３０が設けられた器具本体１００側へ向う第一の方向である上方向Ｚ１へ弾性力を付与する。バネ腕部１３１は、底部１１１に向うにしたがって連結用開口２５４の係合端部２５３ｂを摺動し、光源ユニット２００を引き上げる。
バネ曲げ部１３２は、器具本体１００と光源ユニット２００が対向した状態において、光源ユニット２００からバネ部１３０が設けられた器具本体１００に向う方向である第一の方向へバネ腕部１３１に弾性力を付与する。
【００３９】
次に、図１１の（ｄ）において、光源ユニット２００はバネ部１３０により器具本体１００に一部を収納するよう引き上げられる。光源ユニット２００は、蓋側部２４２の上方向Ｚ１側が、器具本体１００の端板鍔部１２２に当接するまで引き上げられ、光源ユニット２００は器具本体１００へ取り付けられる。光源ユニット２００は器具本体１００の開口と隙間がないように、器具本体１００に取り付けられる。
このとき、バネ部１３０は、バネ腕部１３１が係合端部２５３ｂを第一の方向である上方向Ｚ１に引き上げる。連結部２５０は、バネ腕部１３１により係合端部２５３ｂが上方向Ｚ１に引き上げられることで、連結係合部２５３は連結曲げ部２５２により第一の方向と反対方向である下方向Ｚ２へ向う弾性力が付与され、光源ユニット２００を上方向Ｚ１に引き上げる。バネ腕部１３１と係合端部２５３ｂは互いに反対方向へ押圧し係合する。
また、バネ部１３０と連結部２５０は、バネ曲げ部１３２と連結曲げ部２５２がバネ腕部１３１と係合端部２５３ｂによって直列になるように接続される。よって、バネ曲げ部１３２と連結曲げ部２５２は光源ユニット２００の重量負荷を分担することができる。
【００４０】
光源ユニット２００の器具本体１００からの取り外す手順は、装着するときと逆の手順により取り外すことができる。
はじめに、図１１の（ｄ）の状態から、作業者は、光源ユニット２００を図１１の（ｂ）の状態まで引き下げる。
このとき、連結部２５０は、連結曲げ部２５２が連結係合部２５３にフレーム取付部２２１側に向う方向に弾性力を付与し、バネ腕部１３１を底部１１１から離れるように引っ張る。バネ腕部１３１は、底部１１１に対して略垂直の状態になるように連結係合部２５３に引っ張られる。
【００４１】
次に、図１１の（ｂ）の状態において、作業者は連結部２５０の係合端部２５３ｂにバネ１３０の爪部１３１ｂが係止している状態を解除し、光源ユニット２００を器具本体１００から取り外す。
【００４２】
次に、図１２を用いて、バネ部１３０と連結部２５０の係合した状態に関して説明を行う。図１２は、図１１の（ｄ）におけるＥ部の拡大図に、係合していない状態のバネ部１３０と連結部２５０を点線で図示したものである。バネ部１３０と連結部２５０は、実線で示した弾性変形した状態から、点線で示した係合していない状態に復元するように弾性力が付与される。なお、長手方向Ｘにおいて、バネ固定部１３３から連結曲げ部２５２へ向う方向を長手方向Ｘ１、長手方向Ｘ１と反対方向であり連結曲げ部２５２からバネ固定部１３３へ向う方向を長手方向Ｘ２とする。
図１２において、バネ部１３０と連結部２５０は、長手方向Ｘにおいて、バネ腕部１３１と連結係合部２５３が対向するように並設している。バネ曲げ部１３２と連結曲げ部２５２は、上下方向Ｚおよび長手方向Ｘにおいて、バネ腕部１３１のバネ曲げ部１３２側の端部と係合端部２５３ｂを間に配置するように配設されている。
長手方向Ｘは、バネ曲げ部１３２がバネ腕部１３１に弾性力を付与する方向である上方向Ｚ１である第一の方向に対して直交する方向である。
【００４３】
図１２において、バネ部１３０と連結部２５０は、バネ腕部１３１と連結係合部２５３は互いに反対方向へ押圧し、バネ腕部１３１のバネ曲げ部１３２側の端部と連結係合部２５３の係合端部２５３ｂが互いに反対方向へ押圧した状態で係合している。
バネ部１３０は、バネ腕部１３１が係合端部２５３ｂを上方向Ｚ１へ引き上げる。
このとき、バネ部１３０は、バネ腕部１３１がバネ曲げ部１３２を軸として回転するように移動する。よって、バネ腕部１３１は、係合端部２５３ｂを回転するように引き上げようとし、上方向Ｚ１および長手方向Ｘ１へ係合端部２５３ｂを押圧する。
連結部２５０は、バネ腕部１３１により係合端部２５３ｂが回動するように上方向Ｚ１へ引き上げられることで、連結曲げ部２５２が連結係合部２５３に下方向Ｚ２へ向うように弾性力を付与する。このとき、係合端部２５３ｂは、連結曲げ部２５２を軸として回転するように移動する。連結曲げ部２５２は、バネ腕部１３１が回転して移動する方向と対向する方向に係合端部２５３ｂが回転して移動するように、連結係合部２５３に弾性力を付与する。よって、係合端部２５３ｂは、連結曲げ部２５２を軸として回転するようにバネ腕部１３１を押圧し、下方向Ｚ２および長手方向Ｘ２へバネ腕部１３１を押圧する。
【００４４】
バネ部１３０は、二重丸で示した係合していない状態のバネ腕部１３１のバネ曲げ部１３２側の端部と比較し、バネ腕部１３１のバネ曲げ部１３２側の端部が長手方向Ｘにおいて寸法Ａ１、上下方向Ｚにおいては寸法Ｂ１分だけ弾性変形している。このときバネ部１３０は、バネ曲げ部１３２がバネ腕部１３１に、長手方向Ｘ１側に向かって寸法Ａ１分だけ可動するよう弾性力に付与し、上方向Ｚ１側に向かって寸法Ｂ１分だけ可動するよう弾性力を付与する
連結部２５０は、係合していない状態の係合端部２５３ｂ′と比較し、バネ部１３０により上方向Ｚ１へ引き上げられ、係合端部２５３ｂは、長手方向Ｘにおいて寸法Ａ２、上下方向Ｚにおいては寸法Ｂ２分だけ弾性変形している。連結部２５０は、連結曲げ部２５２が連結係合部２５３に、長手方向Ｘ２側に向かって寸法Ａ２分だけ可動するよう弾性力に付与し、下方向Ｚ２側に向かって寸法Ｂ２分だけ可動するよう弾性力を付与する。
バネ部１３０と連結部２５０は、上下方向Ｚ、長手方向Ｘともに互いに反対方向へ押圧して係合する。このように、互いに反対方向へ押圧して係合することで、連結部２５０が係合した状態から不用意に移動するのを抑制することができる。
【００４５】
本実施の形態の照明器具１は、器具本体１００と、この器具本体１００に対向した状態で取り付ける光源ユニット２００を備えており、器具本体１００に設けられたバネ部１３０と光源ユニット２００に設けられた連結部２５０が係合するものである。バネ部１３０はバネ腕部１３１に光源ユニット２００側から器具本体１００側に向う方向である第一の方向へ弾性力を付与するバネ曲げ部１３２を有し、連結部２５０がバネ腕部１３１と係合する連結係合部２５３に第一の方向と反対方向へ向う弾性力を付与する連結曲げ部２５２を有している。
この構成により、バネ腕部１３１と連結係合部２５３は、バネ曲げ部１３２と連結曲げ部２５２により互いに反対方向へ押圧した状態で係合することでき、連結部２５０が係合した状態から不用意に移動するのを抑制することができる。よって、光源ユニット２００の移動を抑制することができる。
なお、光源ユニット２００の移動を抑制することで、光源ユニット２００が器具本体１００に一部を収容して取り付けられた状態から下方向Ｚ２に移動して、光源ユニット２００と器具本体１００との間に隙間ができるのを抑制することができる。光源ユニット２００と器具本体１００との間で隙間部分がスジ状に暗くみえるのを抑制することができる。
また、バネ部１３０と連結部２５０の係合状態が解除され、光源ユニット２００が器具本体１００から外れ落下することを抑制することができる。
また、光源ユニット２００が収容凹部１１０の内側と衝突して、光源ユニット２００が破損することを抑制することができる。
【００４６】
また、本実施の形態の照明器具１は、長手方向Ｘにおいて、バネ部１３０と連結部２５０はバネ腕部１３１と連結係合部２５３が対向するように並設しており、バネ部１３０のバネ腕部１３１がバネ曲げ部１３２を軸として器具本体１００側に向って回転するように移動し、連結部２５０の連結係合部２５３が連結曲げ部２５２を軸として回転するように移動する。この構成により、バネ腕部１３１は連結係合部２５３を器具本体１００側へ回転するように引き上げ、連結曲げ部２５２は連結係合部２５３にバネ腕部１３１が回転して移動する方向と対向する方向へ回転するよう弾性力を付与し、上下方向Ｚおよび長手方向Ｘにおいてバネ腕部１３０と連結部２５０は互いに反対方向へ押圧して係合することができる。よって、連結具２５０は係合した状態において、連結部２５０が係合した状態から上下方向Ｚおよび長手方向Ｘへ不用意に移動するのを抑制することができる。よって、光源ユニット２００の移動をより抑制することができる。
【００４７】
また、本実施の形態の照明器具１は、連結部２５０は、連結曲げ部２５２が部品取付面２２１ｂに固定され、連結係合部２５３が連結曲げ部２５２から部品取付面２２１ｂに対して離れるように斜めに突設している。この構成により、連結係合部２５３がバネ腕部１３１におり上方向Ｚ１へ引っ張られたときに、係合端部２５３ｂが連結曲げ部２５２を軸として回転するように移動することができ、バネ腕部１３１を下方向Ｚ２および長手方向Ｘへ押圧することができる。
【００４８】
また、本実施の形態の照明器具１は、連結部２５０は、バネ腕部１３１により連結係合部２５３が上方向Ｚ１に引っ張られたときに、連結係合部２５３にバネ腕部１３１が引っ張る方向と反対方向へ弾性力を付与する連結曲げ部２５２を有している。この構成により、連結部２５０の変形を抑制する剛性を持たした形状にしなくて良い。よって、変形しないように板材を多方向から複数曲げて剛性を持たした形状にしなくて良く、線状の弾性部材で形成することができる。線状の弾性部材で形成することで、連結部２５０の重量を軽くすることができ、照明器具１の重量を軽くすることができる。
【００４９】
また、本実施の形態の照明器具１は、バネ部１３０と連結部２５０は、バネ腕部１３１と連結係合部２３が係合することで、上下方向Ｚにおいてバネ曲げ部１３２と連結曲げ部２５２を直列に接続するように係合する。バネ曲げ部１３２と連結曲げ部２５２が直列に接続することで、光源ユニット２００の負荷を分担することができ、バネ曲げ部１３２と連結曲げ部２５２それぞれの負荷を抑制することができる。また、振動が起こった際に、バネ曲げ部１３２と連結曲げ部２５２で振動を分担して吸収することができる。
【００５０】
また、本実施の形態の照明器具１は、バネ部１３０と連結部２５０はバネ腕部１３１と連結係合部２５３が弾性変形することができ、互いに弾性変形した状態で係合する。この構成によって、バネ部１３０および連結部２５０の製造による大きさの違いを弾性変形の範囲で吸収することができ、製造公差の許容範囲を大きくすることがきる。よって、バネ部１３０と連結部２５０の製造公差をこえる不良の発生を抑制することができる。また、この構成によって、バネ部１３０および連結部２５０が所定の位置と異なる位置に取り付けられたとしても弾性変形の範囲で吸収することができ、取り付け公差の許容範囲を大きくすることができる。よって、照明器具１の組み立てによる不良の発生を抑制でき、組み立て易くすることができる。
【００５１】
実施の形態２．
次に、実施の形態２の光源ユニット１０００を図１３から図１５を参照して説明する。図１３は光源ユニット１０００の斜視図であり、図１３の（ａ）は光源ユニット１０００を斜め上からみた斜視図であり、図１３の（ｂ）は図１３の（ａ）に示すF部拡大図である。図１４は図１３に示す連結部１１００の斜視図である。図１５は図１４に示す係合補強部１１１０の斜視図である。
本実施の形態の光源ユニット１０００は、実施形態１の連結部２５０と異なる、連結部１１００を備えるものである。連結部１１００は、連結係合部２５３の不用意な変形を抑制したものである。
なお、実施の形態２の照明器具１０００において特に記述しない項目については、実施の形態１に係る照明器具１と同様とし、同一の機能及び構成については同一の符号を用いて述べることとする。
【００５２】
実施の形態１の連結部２５０は、対に設けられた係合腕部２５３ａの連結曲げ部２５２側が接続されてないことで、バネ腕部１３１に上方向Ｚ１へ引き上げられたときに連結係合部２５３が不用意に変形をしてしまう場合がある。
例えば、対に設けられた係合腕部２５３ａが互いに異なる弾性変形をして連結用開口２５４が変形してしまうことがある。連結用開口２５４が変形すると、バネ腕部１３１が連結用開口２５４の一部に引っ掛かり、バネ部１３０と連結部２５０は係合し難くなるおそれがある。連結部１１００はこれらの課題を解決するものである。
【００５３】
光源ユニット１０００は、フレーム２２０と、連結部１１００と、カバー２３０と、蓋部２４０と、電源装置２６０とを備えている。なお、光源ユニット１０００の内部には図示しない発光部２１０がフレーム２２０に取り付けられている。
光源ユニット１０００は、器具本体１００にバネ部１３０と連結部１１００が係合して取り付けられる。
【００５４】
連結部１１００は、連結固定部２５１と、連結曲げ部２５２と、連結係合部２５３と、係合補強部１１１０を備えている。連結部１１１０は、図１４の点線で示すように対に設けられた係合腕部２５３ａと、係合端部２５３ｂと、係合補強部１１１０に囲まれて矩形状の連結用開口１１２０が形成されている。
係合補強部１１１０は、対に設けられた係合腕部２５３ａを連結曲げ部２５２側で接続するものであり、対に設けられた係合腕部２５３ａが互いに異なる弾性変形するのを抑制する。
【００５５】
係合補強部１１１０は、補強主部１１１１と、補強溝部１１１２を有している。補強主部１１１１は板状に設けられており、対に設けられた係合腕部２５３ａの間に配置される。補強溝部１１１２は、短手方向Ｙにおいて補強主部１１１１の両側に設けられ、係合腕部２５３ａが嵌め込まれる溝形状に形成されている。
係合補強部１１１０は、対に設けられた係合腕部２５３ａの間に配設された状態で、対に設けられた係合腕部２５３ａそれぞれと接続していることで、対に設けられた係合腕部２５３ａの間を一定に制御することができる。
連結部１１００は、対に設けられた係合腕部２５３ａの間を一定に制御されることで、対に設けられた係合腕部２５３ａが互いに異なる方向へ弾性変形するのを抑制することができる。例えば、対に設けられた係合腕部２５３ａの間が広がるように互いに異なる方向へ弾性変形するのを抑制することがでる。また、捩れて対に設けられた係合腕部２５３ａの間が狭くなるように弾性変形するのを抑制することができる。
【００５６】
連結部１１００は、係合補強部１１１０により、対に設けられた係合腕部２５３ａが互いに異なる弾性変形するのを抑制することができ、連結用開口１１２０の変形を抑制することができる。よって、連結部１１００は、バネ部１３０と容易に係合することができる。
【００５７】
本実施の形態の連結部１１００は、対に設けられた係合腕部２５３ａを連結曲げ部２５２側で接続する係合補強部１１１０を有することで、対に設けられた係合腕部２５３ａが互いに異なる弾性変形するのを抑制することができる。よって、連結用開口１１２０の変形を抑制し、連結部１１００とバネ部１３０を容易に係合することができる。
【００５８】
なお、実施の形態１および実施の形態２では、器具本体１００にバネ１３０を設け、光源ユニット２００に連結部２５０を設ける仕様について説明を行なったが、器具本体１００と光源ユニット２００のどちらか一方にバネ１３０を設け、他方に連結部２５０を設ける仕様であれば良い。器具本体１００に連結金具２６０を設け、光源ユニット２００にバネ１３０を設ける仕様でも良い。光源ユニット２００にバネ１３０を設ける仕様であれば、器具本体１００からバネ１３０が設けられた光源ユニット２００に向う方向が第一の方向となる。
【００５９】
また、実施の形態１および実施の形態２では、連結部２５０、１１００の連結曲げ部２５２は線材をねじった円弧形状であり、連結固定部２５１と連結係合部２５３の間の角度Ｋが鋭角になる仕様について説明を行ったが、連結係合部２５３に連結部２５０が固定される一面側へ弾性力を付与する仕様であれば良く、コイル状に形成した仕様でも良く、スプリング状に曲げた仕様でも良い。部品取付面２２１ｂと連結係合部２５３の間の角度が鋭角であれば、連結固定部２５１と連結係合部２５３の間の角度が鈍角になる仕様でも良い。
【００６０】
また、実施の形態１および実施の形態２では、連結部２５０、１１００は、線状の弾性部材を曲げて形成した仕様について説明を行ったが、板状の弾性部材に連結用開口２５４、１１２０を設け、曲げて形成した仕様でも良い。板状であっても、弾性部材は剛性を確保する為の板材よりも板圧が薄くすることができ軽量化することができる。また、係合補強部１１１１の機能を板材の一部に持たしても良い。
【００６１】
また、実施の形態１および実施の形態２では、連結部２５０、１１１０は、連結固定部２５１を固定部２２３に嵌め込みフレーム取付部２２１に固定する仕様を説明したが、ネジなどの固定具によりフレーム取付部２２１に固定する仕様でも良く、別部材により保持するような仕様でも良い。
【００６２】
また、実施の形態１および実施の形態２では、バネ部１３０は板材の弾性部材を曲げた仕様の説明を行ったが、線材の弾性部材を曲げて形成する仕様でも良く、板材の弾性部材と線材の弾性部材を組み合わせた仕様でも良い。
【００６３】
また、実施の形態１および実施の形態２では、バネ部１３０と連結部２５０が互いに弾性変形した状態で係合した仕様について説明を行なったが、バネ部１３０とバネ部１３０と連結部２５０が互いに押圧して係合した仕様であれば良く、弾性変形せずに互いに押圧した仕様でも良く、どちらか一方が弾性変形して互いに押圧した仕様でも良い。
【００６４】
また、実施の形態１および実施の形態２では、器具本体１００に端子台１３０を設け、光源ユニット２００に電源装置２５０を設ける仕様について説明を行なったが、器具本体１００が電源装置２５０を備え、光源ユニット２００が端子台１３０を備える仕様でも良く、どちらか一方が端子台１３０と電源装置２５０を備える仕様でも良い。
【００６５】
また、実施の形態１および実施の形態２では、フレーム２２０は、フレーム側部２２２がフレーム取付部２２１の長手側辺から上方向Ｚ１へ対になるように突出する仕様について説明を行ったが、フレーム側部２２２が下方向Ｚ２へ対に突出する仕様でも良い。
【００６６】
また、実施の形態１および実施の形態２では、器具本体１００が収容凹部１１０に傾斜部１１３を設けた逆富士形状の照明器具について説明を行なったが、収容凹部１１０に傾斜部１１３を設けないトラフ形状の照明器具でも良く、照明器具であればその形状は限定されない。
【００６７】
また、実施の形態１および実施の形態２は、適宜組み合わせることが可能である。また、実施の形態１および実施の形態２の一部を抽出して組み合わせることも可能である。更に、実施の形態１および実施の形態２に限らず、適宜変更することも可能である。
【符号の説明】
【００６８】
Ｘ  長手方向、Ｙ  短手方向、Ｚ  上下方向、Ｚ１  上方向、Ｚ２  下方向、１  照明器具、１００  器具本体、１１０  収容凹部、１１１  底部、１１１ａ  電源引込孔、１１１ｂ  固定孔、１１２  側部、１１３  反射部、１２０  端板部、１２１  端板本体部、１２２  端板鍔部、１３０  バネ部、１３１  バネ腕部、１３１ａ  円弧部、１３１ｂ  爪部、１３２  バネ曲げ部、１３２ａ  第一曲げ部、１３２ｂ  第二曲げ部、１３２ｃ  第三曲げ部、１３３  バネ固定部、１３３ａ  固定孔、１４０  端子台、１４１  端子台本体部、１４２  端子台接続部、１４２ａ  端子台電線、１４２ｂ  端子台コネクタ、２００  光源ユニット、２１０  発光部、２１１  発光素子、２１２  基板、２１３  電線、２２０  フレーム、２２１  フレーム取付部、２２１ａ  発光部取付面、２２１ｂ  部品取付面、２２２  フレーム側部、２２３  固定部、２２３ａ  第一固定部、２２３ｂ  第二固定部、２２３ｂａ  立上り部、２２３ｂｂ  水平部、２３０  カバー、２３１  主カバー部、２３２  カバー係合部、２４０  蓋部、２４１  蓋本体部、２４２  蓋側部、２５０  連結部、２５１  連結固定部、２５１ａ  固定端部、２５１ｂ  連結脚部、２５２  連結曲げ部、２５３  連結係合部、２５３ａ  係合腕部、２５３ｂ  係合端部、２５４  連結用開口、２６０  電源装置、２６１  電源本体部、２６２  電源接続部、２６２ａ  電源電線、２６２ｂ  電源コネクタ、１０００  光源ユニット、１１００  連結部、１１１０  係合補強部、１１１１  補強主部、１１１２  補強溝部、１１２０  連結用開口。
【図１】
2020113457.tif 000003
【図２】
2020113457.tif 000004
【図３】
2020113457.tif 000005
【図４】
2020113457.tif 000006
【図５】
2020113457.tif 000007
【図６】
2020113457.tif 000008
【図７】
2020113457.tif 000009
【図８】
2020113457.tif 000010
【図９】
2020113457.tif 000011
【図１０】
2020113457.tif 000012
【図１１】
2020113457.tif 000013
【図１２】
2020113457.tif 000014
【図１３】
2020113457.tif 000015
【図１４】
2020113457.tif 000016
【図１５】
2020113457.tif 000017